(57)【要約】【課題】クリップの保持性能の低下を抑制しつつ、クリップのより簡単な取り外し及び／又は取り付けを促進することが望まれる。【解決手段】クリップ１は、第１及び第２延在部１０，２０と、第１及び第２延在部１０，２０の各基端部が結合した結合部３０を含む。第１及び第２延在部１０，２０が結合部３０から離間するように延びて両者の間に保持空間４０が形成される。第１延在部１０の先端部が、第２延在部２０に対向して保持空間４０への挿入口４１が画定される。挿入口４１と結合部３０の間の位置において第２延在部２０に括れ部５０又は開口６０が形成され、これに応じて第２延在部２０が撓みやすく構成される。【選択図】図６
2020025728.tif 000002
【特許請求の範囲】
【請求項１】
第１及び第２延在部（１０，２０）と、前記第１及び第２延在部（１０，２０）の各基端部が結合した結合部（３０）を備え、前記第１及び第２延在部（１０，２０）が前記結合部（３０）から離間するように延びて両者の間に保持空間（４０）が形成され、また、前記第１延在部（１０）の先端部が、前記第２延在部（２０）に対向して前記保持空間（４０）への挿入口（４１）が画定されるクリップ（１）であって、
前記挿入口（４１）と前記結合部（３０）の間の位置において前記第２延在部（２０）に括れ部（５０）又は開口（６０）が形成され、これに応じて前記第２延在部（２０）が撓みやすく構成される、クリップ。
【請求項２】
前記第１延在部（１０）の先端部が前記第２延在部（２０）から離れるように前記クリップ（１）が操作される時、前記第１延在部（１０）の撓み量が、前記第２延在部（２０）の撓み量よりも小さい、請求項１に記載のクリップ。
【請求項３】
前記第２延在部（２０）は、前記結合部（３０）から前記挿入口（４１）に向けて一定厚で延びる部分を含む、請求項１又は２に記載のクリップ。
【請求項４】
前記括れ部（５０）の最小幅部分（５３）の位置（Ｐ５３）又は前記開口（６０）の中心位置（Ｐ６０）が、前記第１延在部（１０）の先端部の先端位置（Ｐ１）と比較して前記第１及び第２延在部（１０，２０）の内面を接続する前記結合部（３０）の内壁面（３３）寄りに位置付けられる、請求項１乃至３のいずれか一項に記載のクリップ。
【請求項５】
前記括れ部（５０）の最小幅部分（５３）の位置（Ｐ５３）と前記第１延在部（１０）の先端部の先端位置（Ｐ１）の間の第１間隔をＤ１とし、前記括れ部（５０）の最小幅部分（５３）の位置（Ｐ５３）と前記第１及び第２延在部（１０，２０）の内面を接続する前記結合部（３０）の内壁面（３３）の位置（Ｐ３３）の間の第２間隔をＤ２とする時、０．４＜（Ｄ２／Ｄ１）＜２．３を満足し、又は、
前記開口（６０）の中心位置（Ｐ６０）と前記第１延在部（１０）の先端部の先端位置（Ｐ１）の間の第３間隔をＤ３とし、前記開口（６０）の中心位置（Ｐ６０）と前記第１及び第２延在部（１０，２０）の内面を接続する前記結合部（３０）の内壁面（３３）の位置（Ｐ３３）の間の第４間隔をＤ４とする時、０．４＜（Ｄ４／Ｄ３）＜２．３を満足する、請求項１乃至４のいずれか一項に記載のクリップ。
【請求項６】
前記第１延在部（１０）の先端部には前記第２延在部（２０）に向けて突出した突起（７０）が設けられ、前記括れ部（５０）の最小幅部分（５３）の位置（Ｐ５３）又は前記開口（６０）の中心位置（Ｐ６０）が、前記突起（７０）の先端位置（Ｐ２）と比較して前記第１及び第２延在部（１０，２０）の内面を接続する前記結合部（３０）の内壁面（３３）寄りに位置付けられる、請求項１乃至５のいずれか一項に記載のクリップ。
【請求項７】
前記第１延在部（１０）の先端部には前記第２延在部（２０）に向けて突出した突起（７０）が設けられ、
前記括れ部（５０）の最小幅部分（５３）の位置（Ｐ５３）と前記突起（７０）の先端位置（Ｐ２）の間の第５間隔をＤ５とし、前記括れ部（５０）の最小幅部分（５３）の位置（Ｐ５３）と前記第１及び第２延在部（１０，２０）の内面を接続する前記結合部（３０）の内壁面（３３）の位置（Ｐ３３）の間の第６間隔をＤ６とする時、０．４＜（Ｄ６／Ｄ５）＜２．３を満足する、又は、
前記開口（６０）の中心位置（Ｐ６０）と前記突起（７０）の先端位置（Ｐ２）の間の第７間隔をＤ７とし、前記開口（６０）の中心位置（Ｐ６０）と前記第１及び第２延在部（１０，２０）の内面を接続する前記結合部（３０）の内壁面（３３）の位置（Ｐ３３）の間の第８間隔をＤ８とする時、０．４＜（Ｄ８／Ｄ７）＜２．３を満足する、請求項１乃至６のいずれか一項に記載のクリップ。
【請求項８】
前記第２延在部（２０）が、前記括れ部（５０）を形成するように結合した第１及び第２テーパー部（５１，５２）を含み、前記第１テーパー部（５１）は、前記結合部（３０）から離れるに応じて幅狭になり、前記第２テーパー部（５２）は、第１テーパー部（５１）から離れるに応じて幅広になる、請求項１乃至７のいずれか一項に記載のクリップ。
【請求項９】
前記第１延在部（１０）の先端部には前記第２テーパー部の幅広端寄りの部分に向けて突出した突起（７０）が設けられる、請求項８に記載のクリップ。
【請求項１０】
前記第１及び第２延在部（１０，２０）は、前記結合部（３０）から離れるに応じて前記第１及び第２延在部（１０，２０）間の間隔が徐々に増加するように延びる、請求項１乃至９のいずれか一項に記載のクリップ。
【請求項１１】
前記第１延在部（１０）の内面は、前記第２延在部（２０）の内面に関して傾斜して設けられる、請求項１乃至１０のいずれか一項に記載のクリップ。
【請求項１２】
前記第１延在部（１０）の先端部には前記第２延在部（２０）に向けて突出した突起（７０）が設けられ、前記突起（７０）の突出高さは、前記第１延在部（１０）の先端部の最小厚よりも大きい、請求項１乃至１１のいずれか一項に記載のクリップ。
【請求項１３】
前記第１延在部（１０）は、前記結合部（３０）に向けて延びるに応じて下り傾斜する上面を有する、請求項１乃至１２のいずれか一項に記載のクリップ。
【請求項１４】
前記結合部（３０）は、前記第１延在部（１０）から離れるに応じて下り傾斜する上面を有する、請求項１乃至１３のいずれか一項に記載のクリップ。
【請求項１５】
前記結合部（３０）は、前記第１及び第２延在部（１０，２０）とは反対方向に延びる少なくとも１つのガイド突起（３４）を有する、請求項１乃至１４のいずれか一項に記載のクリップ。
【請求項１６】
前記第１延在部（１０）は、その基端部とその先端部の間の位置に形成された開口（１９）を有し、この第１延在部の開口（１９）を介して前記第２延在部（２０）の括れ部（５０）又は開口（６０）の視認が可能である、請求項１乃至１５のいずれか一項に記載のクリップ。
【請求項１７】
前記括れ部（５０）又は前記開口（６０）は、前記挿入口（４１）を介した前記保持空間（４０）への挿入方向に平行な軸線に関して対称に構成される、請求項１乃至１６のいずれか一項に記載のクリップ。
【請求項１８】
前記結合部（３０）の近傍における前記第２延在部（２０）の幅をＷ１とし、前記括れ部（５０）の最小幅をＷ２とする時、（Ｗ２／Ｗ１）≦０．８を満足し、又は
前記結合部（３０）の近傍における前記第２延在部（２０）の幅をＷ３とし、前記開口（６０）により隔てられた複数の部分の合計幅をＷ４とする時、（Ｗ４／Ｗ３）≦０．８を満足する、請求項１乃至１７のいずれか一項に記載のクリップ。
【発明の詳細な説明】
【技術分野】
【０００１】
本開示は、クリップに関する。
【背景技術】
【０００２】
特許文献１は、ショルダーベルトのスロットに脱着可能に掛けられるフックを開示する。同文献は、更に、スロット幅がフック幅に一致することを開示する。特許文献２は、バックパックの左右のストラップのための保持具を開示する。このストラップ保持具は、一端に閉ループ構造を有し、他端に開ループ構造を具備する（特許文献２の図４参照）。
【先行技術文献】
【特許文献】
【０００３】
【特許文献１】米国特許第８，４０３，１９３号明細書
【特許文献２】特開２０１３−４６７５６号公報
【発明の概要】
【発明が解決しようとする課題】
【０００４】
クリップの保持性能の低下を抑制しつつ、クリップのより簡単な取り外し及び／又は取り付けを促進することが望まれる。
【課題を解決するための手段】
【０００５】
本開示の一態様に係るクリップは、第１及び第２延在部と、第１及び第２延在部の各基端部が結合した結合部を備える。第１及び第２延在部が結合部から離間するように延びて両者の間に保持空間が形成される。また、第１延在部の先端部が、第２延在部に対向して保持空間への挿入口が画定される。挿入口と結合部の間の位置において第２延在部に括れ部又は開口が形成され、これに応じて第２延在部が撓みやすく構成される。
【０００６】
幾つかの実施形態では、第１延在部の先端部が第２延在部から離れるようにクリップが操作される時、第１延在部の撓み量が、第２延在部の撓み量よりも小さい。
【０００７】
幾つかの実施形態では、第２延在部は、結合部から挿入口に向けて一定厚で延びる部分を含む。
【０００８】
幾つかの実施形態では、括れ部の最小幅部分の位置又は開口の中心位置が、第１延在部の先端部の先端位置と比較して第１及び第２延在部の内面を接続する結合部の内壁面寄りに位置付けられる。
【０００９】
幾つかの実施形態では、括れ部の最小幅部分の位置と第１延在部の先端部の先端位置の間の第１間隔をＤ１とし、括れ部の最小幅部分の位置と第１及び第２延在部の内面を接続する結合部の内壁面の位置の間の第２間隔をＤ２とする時、０．４＜（Ｄ２／Ｄ１）＜２．３を満足する。追加又は代替として、開口の中心位置と第１延在部の先端部の先端位置の間の第３間隔をＤ３とし、開口の中心位置と第１及び第２延在部の内面を接続する結合部の内壁面の位置の間の第４間隔をＤ４とする時、０．４＜（Ｄ４／Ｄ３）＜２．３を満足する。
【００１０】
幾つかの実施形態では、第１延在部の先端部には第２延在部に向けて突出した突起が設けられ、括れ部の最小幅部分の位置又は開口の中心位置が、突起の先端位置と比較して第１及び第２延在部の内面を接続する結合部の内壁面寄りに位置付けられる。
【００１１】
第１延在部の先端部には第２延在部に向けて突出した突起が設けられ、括れ部の最小幅部分の位置と突起の先端位置の間の第５間隔をＤ５とし、括れ部の最小幅部分の位置と第１及び第２延在部の内面を接続する結合部の内壁面の位置の間の第６間隔をＤ６とする時、０．４＜（Ｄ６／Ｄ５）＜２．３を満足する。追加又は代替として、開口の中心位置と突起の先端位置の間の第７間隔をＤ７とし、開口の中心位置と第１及び第２延在部の内面を接続する結合部の内壁面の位置の間の第８間隔をＤ８とする時、０．４＜（Ｄ８／Ｄ７）＜２．３を満足する。
【００１２】
幾つかの実施形態では、第２延在部が、括れ部を形成するように結合した第１及び第２テーパー部を含み、第１テーパー部は、結合部から離れるに応じて幅狭になり、第２テーパー部は、第１テーパー部から離れるに応じて幅広になる。
【００１３】
幾つかの実施形態では、第１延在部の先端部には第２テーパー部の幅広端寄りの部分に向けて突出した突起が設けられる。
【００１４】
幾つかの実施形態では、第１及び第２延在部は、結合部から離れるに応じて第１及び第２延在部間の間隔が徐々に増加するように延びる。
【００１５】
幾つかの実施形態では、第１延在部の内面は、第２延在部の内面に関して傾斜して設けられる。
【００１６】
幾つかの実施形態では、第１延在部の先端部には第２延在部に向けて突出した突起が設けられ、突起の突出高さは、第１延在部の先端部の最小厚よりも大きい。
【００１７】
幾つかの実施形態では、第１延在部は、結合部に向けて延びるに応じて下り傾斜する上面を有する。
【００１８】
幾つかの実施形態では、結合部は、第１延在部から離れるに応じて下り傾斜する上面を有する。
【００１９】
幾つかの実施形態では、結合部は、第１及び第２延在部とは反対方向に延びる少なくとも１つのガイド突起を有する。
【００２０】
幾つかの実施形態では、第１延在部は、その基端部とその先端部の間の位置に形成された開口を有し、この第１延在部の開口を介して第２延在部の括れ部又は開口の視認が可能である。
【００２１】
幾つかの実施形態では、括れ部又は開口は、挿入口を介した保持空間への挿入方向に平行な軸線に関して対称に構成される。
【００２２】
幾つかの実施形態では、結合部の近傍における第２延在部の幅をＷ１とし、括れ部の最小幅をＷ２とする時、（Ｗ２／Ｗ１）≦０．８を満足する。追加又は代替として、結合部の近傍における第２延在部の幅をＷ３とし、開口により隔てられた複数の部分の合計幅をＷ４とする時、（Ｗ４／Ｗ３）≦０．８を満足する。
【発明の効果】
【００２３】
本開示の一態様によれば、クリップの保持性能の低下を抑制しつつ、クリップのより簡単な取り外し及び／又は取り付けを促進することができる。
【図面の簡単な説明】
【００２４】
【図１】本開示の一態様に係るクリップの非限定の使用例を示す概略図である。
【図２】本開示の一態様に係るクリップの概略的な斜視図である。
【図３】本開示の一態様に係るクリップの概略的な側面図である。
【図４】本開示の一態様に係るクリップの概略的な上面図である。
【図５】本開示の一態様に係るクリップの概略的な断面図であり、図４の一点鎖線Ｘ５−Ｘ５に沿う断面を示す。
【図６】本開示の一態様に係るクリップの下面図である。
【図７】本開示の一態様に係るクリップの後側面図である。
【図８】本開示の一態様に係るクリップの前側面図である。
【図９】本開示の一態様に係るクリップの操作前の状態を示す概略的な側面図である。
【図１０】本開示の一態様に係るクリップの概略的な側面図であり、第２延在部が撓み、クリップの挿入口の開口高さが増加した状態を示す。
【図１１】本開示の一態様に係るクリップをショルダーストラップに取り付ける過程を示す概略図である。
【図１２】本開示の別態様に係るクリップの概略的な斜視図である。
【図１３】本開示の別態様に係るクリップの概略的な上面図である。
【図１４】本開示の別態様に係るクリップの概略的な断面図であり、図１３の一点鎖線Ｘ１４−Ｘ１４に沿う断面を示す。
【図１５】本開示の別態様に係るクリップの下面図である。
【図１６】本開示の別態様に係るクリップの概略的な斜視図である。
【図１７】本開示の別態様に係るクリップの概略的な上面図である。
【図１８】本開示の別態様に係るクリップの概略的な断面図であり、図１７の一点鎖線Ｘ１８−Ｘ１８に沿う断面を示す。
【図１９】本開示の別態様に係るクリップの下面図である。
【発明を実施するための形態】
【００２５】
以下、図１乃至図１９を参照しつつ、本開示に係る非限定の実施形態及び特徴について説明する。当業者は、過剰説明を要せず、各実施形態及び／又は各特徴を組み合わせることができ、この組み合わせによる相乗効果も理解可能である。実施形態間の重複説明は、原則的に省略する。参照図面は、発明の記述を主たる目的とするものであり、作図の便宜のために簡略化されている場合がある。各特徴は、他の特徴との組み合わせを必要としない独立した個別の特徴として理解され、さもなければ１以上の他の個別の特徴との組み合わせとして理解される。個別の特徴の全組み合わせを記述することは当業者には冗長である他なく、省略される。個別の特徴は、例えば、図面に開示されたクリップにのみ有効であるものではなく、他の様々なクリップにも通用する普遍的な特徴として理解される。
【００２６】
図１は、クリップ１の非限定の使用例を示す概略図である。図１に示すように、チェストストラップ２をショルダーストラップ３に取り外し可能な態様で取り付けるために本開示のクリップ１を用いることができるが、クリップ１の用途は、これに限定されるべきではない。別例では、クリップ１がバックルの雄部材又は雌部材に連結され、これにより、帯材及び／又は紐材に対するバックルの（取り外し可能な）簡単な取り付けが促進される。バックルの代替として他のパーツ、例えば、フックパーツ（所謂、なす環）が用いられる形態も想定される。少なくとも２つのクリップが連結してストラップ不要のチェストストラップが構成される形態も想定される。クリップ１は、帯や紐や紙を束ねるために用いることもできる。
【００２７】
更なる別例では、プラスチック製のホイッスルといったアイテムにクリップ１が連結される。このアイテムは、そのクリップ部を介してバックパックのストラップに対して（取り外し可能に）取り付けることができる。クリップ１は、ストラップからのクリップ１のより簡単な取り外しを促進するべく構成される。従って、非常事態に際してストラップからアイテムをより短時間に取り外し、より早く警笛を鳴らすことが促進される。
【００２８】
更なる別例では、ズボンのベルトといった帯材及び／又は紐材に対して所望アイテムを掛けるためにクリップ１が用いられる。所望アイテムの一例として、スマートフォン又は財布を入れる袋が挙げられるが、これに限られるべきではない。帯材及び／又は紐材に掛けられるアイテムは、軽量物に限られず、重量物であり得る。クリップ１は、クリップ１の保持性能（グリップ能力又は保持能力と呼んでも良い）の低下を抑制しつつ、クリップ１のより簡単な取り付け及び／又は取り外しを促進するように構成される。従って、ある程度の重量のアイテム（例えば、工具）をベルトに吊り下げる目的でクリップ１が用いられる形態も想定される。繰り返すが、上述したクリップ１の用途又は使用態様は、単なる非限定の一例であり、クリップ１の用途又は使用態様を何ら限定するものではない。
【００２９】
図２は、クリップ１の概略的な斜視図である。図３は、クリップ１の概略的な側面図である。図４は、クリップ１の概略的な上面図である。図５は、クリップ１の概略的な断面図であり、図４の一点鎖線Ｘ５−Ｘ５に沿う断面を示す。図６は、クリップ１の下面図である。図７は、クリップ１の後側面図である。図８は、クリップ１の前側面図である。図９は、クリップ１の操作前の状態を示す概略的な側面図である。図１０は、クリップ１の概略的な側面図であり、第２延在部が撓み、クリップ１の挿入口の開口高さが増加した状態を示す。図１１は、クリップ１をショルダーストラップ３に取り付ける過程を示す概略図である。
【００３０】
図２の両方向矢印ＬＲが左右方向を示し、両方向矢印ＦＢが前後方向を示し、両方向矢印ＵＤが上下方向を示す。後述の記述から分かるように、左右方向は、第１延在部１０と第２延在部２０により挟まれる帯材又は紐材の延在方向に一致する。前後方向は、結合部３０に向かう又はそこから離れるように延びる第１及び第２延在部１０，２０の延在方向に一致する。上下方向は、ここで述べた左右方向と前後方向に直交する方向である。左右、前後、及び上下方向は、クリップ１に関する以下の記述に照らして再定義可能である。図１に示したクリップ１の取り付け状態を前提とすると、左右方向は、ショルダーストラップ３の延在方向に一致する。前後方向は、チェストストラップ２の延在方向に一致する。上下方向は、ショルダーストラップ３の延在方向とチェストストラップ２の延在方向に対して直交する方向に一致する。
【００３１】
クリップ１は、第１及び第２延在部１０，２０と、第１及び第２延在部１０，２０の各基端部が結合した結合部３０を有する。第１及び第２延在部１０，２０が結合部３０から離間するように（つまり、後方に）延びて両者の間に保持空間（４０）が形成される。第１延在部１０の先端部が、第２延在部２０（特には、その中間部２５）に対向して保持空間４０への挿入口４１が画定される。第１及び第２延在部１０，２０間の保持空間４０には挿入口４１を介して帯材又は紐材が挿入されて保持され得る。第１及び第２延在部１０，２０の間で帯材又は紐材が保持される時、第１及び第２延在部１０，２０の間の保持空間４０において帯材又は紐材が左右方向に変位可能であるが、必ずしもこの限りではない。なお、第１延在部１０を上部延在部と呼び、第２延在部２０を下部延在部と呼んでも良い。
【００３２】
第１延在部１０は、結合部３０に結合した基端部１１と、（前後方向において）基端部１１とは反対側の先端部１２を有する。第１延在部１０の基端部１１を前端部と呼び、先端部１２を後端部と呼んでも良い。第２延在部２０は、結合部３０に結合した基端部２１と、前後方向において基端部２１とは反対側の反対端部２２を有する。第２延在部２０の基端部２１を前端部と呼び、反対端部２２を後端部と呼んでも良い。
【００３３】
第２延在部２０は、その基端部２１と反対端部２２の間を延びる中間部２５を有する。反対端部２２にはチェストストラップ２の挿通開口２７が設けられるが、これに限られるべきではない。上述のように、反対端部２２が他のパーツ（例えば、バックルの雄又は雌部材、又は、別のクリップ）に射出成形により一体的に結合する態様も想定される。第１延在部１０の先端部１２が、第２延在部２０（端的には、その中間部２５）に対向し、第１及び第２延在部１０，２０の間の保持空間４０への挿入口４１が画定される。オプションとして、第１延在部１０の先端部１２には、第２延在部２０（端的には、その中間部２５）に向けて突出した突起７０が設けられる。突起７０によりクリップ１の挿入口４１が部分的に閉鎖される。典型的には、クリップ１は、プラスチック・パーツであり、溶融樹脂の射出成形により製造可能である。
【００３４】
第１延在部１０は、必ずしもこの限りではないが、基端部１１と先端部１２の間に形成された１以上の開口１９を有することができる。幾つかの場合、第１延在部１０は、１つの開口１９を周囲する枠状部分である。第１延在部１０が枠状部分である時、第１延在部１０と第２延在部２０の間に挟まれる帯材又は紐材の視認が可能である。また、第１延在部の開口６０を介して後述の第２延在部２０の括れ部５０又は開口６０の視認が可能である。幾つかの場合、第１延在部１０の左右幅Ｗ１０は、結合部３０に向かって小さくなり、これにより、クリップ１の挿入容易性、例えば、ショルダーハーネス４とショルダーストラップ３の間の隙間への挿入容易性が促進される。
【００３５】
第２延在部２０は、括れ部５０が形成された中間部２５を有する（図６参照）。括れ部５０は、クリップ１の挿入口４１と結合部３０の間の位置において第２延在部２０（端的には、その中間部２５）に形成され、これに応じて第２延在部２０が撓みやすく構成される。第２延在部２０が撓む時、第２延在部２０は、弧状形状をとり得る。より具体的には、第２延在部２０は、第１延在部１０側に括れ部５０が反り出た形状をとり得る。第２延在部２０が相対的に硬質であって、従って、その弧状形状の深さは極浅いものであり得る。
【００３６】
オプションとして、結合部３０の近傍における第２延在部２０（端的には、その中間部２５）の幅をＷ１とし、括れ部５０の最小幅をＷ２とする時、（Ｗ２／Ｗ１）≦０．８を満足する。これにより第２延在部２０の変形容易性が促進される。なお、結合部３０の近傍における第２延在部２０（端的には、その中間部２５）の幅は、括れ部５０の最小幅よりも結合部３０側の部分における最大幅、端的には、後述の第１テーパー部５１の最大幅で読み替えることができる。
【００３７】
第２延在部２０、端的にはその中間部２５は、結合部３０から挿入口４１に向けて一定厚で延びる部分を含むことができる。これにより、第２延在部２０の変形容易性が促進される。幾つかの場合、中間部２５全体が平板状である。第２延在部２０（端的には、その中間部２５）の下面２４に１以上の凹部２６を設け、第２延在部２０の変形容易性が更に促進され得る。第２延在部２０の内面２３に凹部２６を設けない分、第２延在部２０の内面２３の平坦さも同時に確保される。なお、第２延在部２０の中間部２５は、凹部２６を画定する１以上の枠部を含み得る。また、第２延在部２０の厚みを第１延在部１０の厚みよりも薄く形成することで、さらに変形容易性を促進することもできる。
【００３８】
括れ部５０の具体的な態様は様々である。幾つかの場合、括れ部５０は、挿入口４１を介した保持空間４０への挿入方向（前後方向）に平行な軸線ＡＸに関して対称に構成される。追加又は代替として、括れ部５０は、第２延在部２０の第１及び第２テーパー部５１，５２により形状付けられる。具体的には、第２延在部２０は、括れ部５０を形成するように結合した第１及び第２テーパー部５１，５２を含む。第１テーパー部５１は、結合部３０から（後方に）離れるに応じて幅狭になり、第２テーパー部５２は、第１テーパー部５１から（後方に）離れるに応じて幅広になる。第１テーパー部５１の左右の傾斜エッジ５１ｍ，５１ｎの左右間隔は、結合部３０から（後方に）離れるに応じて減少する。第２テーパー部５２の左右の傾斜エッジ５２ｍ，５２ｎの左右間隔は、第１テーパー部５１から（後方に）離れるに応じて増加する。第１テーパー部５１の左右の傾斜エッジ５１ｍ，５１ｎがテーパー状であり、第２テーパー部５２の左右の傾斜エッジ５２ｍ，５２ｎが逆テーパー状であるとも言える。なお、第１延在部１０の先端部１２の突起７０は、第２テーパー部５２の幅広端寄りの部分に向けて突出する。第１テーパー部５１を前側テーパー部と呼び、第２テーパー部５２を後側テーパー部と呼んでも良い。
【００３９】
第１テーパー部５１の左側の傾斜エッジ５１ｍと第２テーパー部５２の左側の傾斜エッジ５２ｍにより左側凹部５４ｍが形成される。第１テーパー部５１の右側の傾斜エッジ５１ｎと第２テーパー部５２の右側の傾斜エッジ５２ｎにより右側凹部５４ｎが形成される。左側凹部５４ｍの底部と右側凹部５４ｎの底部の間で括れ部５０の最小幅部分５３が画定される。なお、左右の凹部５４ｍ，５４ｎの底部が左右方向に平行な同一の軸線上に配置されることなく、前後方向において互いにオフセットする形態も想定される。なお、このような場合においても、左側凹部５４ｍの底部と右側凹部５４ｎの底部の間で括れ部５０の最小幅部分５３が画定されることに変わりない。第１テーパー部５１と第２テーパー部５２の間に左右幅が一定の棒状部分が設けられる形態も想定される。
【００４０】
幾つかの場合、クリップ１は、結合部３０を挿入端として隙間に挿入しやすいように構成される。図１の一例では、クリップ１は、ショルダーハーネス４とショルダーストラップ３の間の隙間に挿入しやすく構成される。別例では別の隙間にクリップ１が挿入しやすく構成される。なお、以下、クリップ１がショルダーハーネス４とショルダーストラップ３の間の隙間に挿入されることを前提として説明する場合があるが、これに限定する意図はない。
【００４１】
第１及び第２延在部１０，２０は、結合部３０から離れるに応じて第１及び第２延在部１０，２０間の間隔（上下間隔）が徐々に増加するように延びる。追加又は代替として、第１延在部１０の内面１７は、第２延在部２０の内面２３に関して傾斜して設けられる。これらの条件のいずれか又は両方を満足する時、クリップ１の挿入容易性が促進される。なお、第１延在部１０の先端部１２に突起７０が設けられる場合、クリップ１の保持性能（例えば、ショルダーストラップ３を保持し続ける能力）の低下が突起７０により抑制される。突起７０は、第２延在部２０の中間部２５に向けて突出する。幾つかの場合、突起７０の突出高さＨ７０は、第１延在部１０の先端部１２の最小厚ＴＨmin１よりも大きい。この特徴は、クリップ１の挿入容易性とクリップ１の保持性能の両立を意味する。なお、突起７０の突出高さＨ７０は、突起７０と第２延在部２０の最小間隔よりも大きい。
【００４２】
第１延在部１０の内面１７を第１延在部１０の下面と呼ぶこともできることに留意されたい。同様、第２延在部２０の内面２３を第２延在部２０の上面と呼ぶこともできる。第１延在部１０の内面１７と第２延在部２０の内面２３は、少なくとも部分的に対向して配置される。第１延在部１０の内面１７と第２延在部２０の内面２３の間で保持空間４０が少なくとも部分的に画定される。
【００４３】
クリップ１の第１延在部１０は、結合部３０に向けて延びるに応じて下り傾斜する上面１６を有する。追加又は代替として、結合部３０は、第１延在部１０から離れるに応じて（結合部３０の前端に向かって）下り傾斜する上面３１を有する。第１延在部１０の上面１６及び／又は結合部３０の上面３１の下り傾斜のおかげで、クリップ１は、ショルダーハーネス４とショルダーストラップ３の間の隙間に円滑に進入可能である。第１延在部１０の上面１６及び／又は結合部３０の上面３１の追加又は代替として、クリップ１の第２延在部２０（中間部２５又は括れ部５０）の下面２４と結合部３０の下面３２が面一である。ショルダーハーネス４の一面においてショルダーストラップ３の隙間に向けてクリップ１が円滑に摺動可能である。なお、第２延在部２０において中間部２５の下面２４と反対端部２２の下面２２ｊの間には段差があるが、クリップ１の円滑な摺動に支障は無い。
【００４４】
オプションとして、結合部３０は、第１及び第２延在部１０，２０とは反対方向に延びる少なくとも１つのガイド突起３４を有する。ガイド突起３４は、ガイド突起３４の前端に向かって下り傾斜する上面３１を有し得る。ガイド突起３４の厚みは、前方に向かって薄くなり得る。これにより、クリップ１全体の円滑な進入が促進される。幾つかの場合、結合部３０は、左右一対のガイド突起３４を有する。左右一対のガイド突起３４の間の空間分だけ結合部３０の前後方向の厚みが薄くなり、結合部３０が過度に硬くなることが抑制される。
【００４５】
幾つかの場合、括れ部５０の最小幅部分５３の位置Ｐ５３が、第１延在部１０の先端部１２の先端位置（後端位置）Ｐ１と比較して第１及び第２延在部１０，２０の内面１７，２３を接続する結合部３０の内壁面３３寄りに位置付けられる（図３参照）。追加又は代替として、括れ部５０の最小幅部分５３の位置Ｐ５３と第１延在部１０の先端部１２の先端位置Ｐ１の間の第１間隔をＤ１とし、括れ部５０の最小幅部分５３の位置Ｐ５３と第１及び第２延在部１０，２０の内面１７，２３を接続する結合部３０の内壁面３３の位置Ｐ３３の間の第２間隔をＤ２とする時、０．４＜（Ｄ２／Ｄ１）＜２．３を満足する。より好ましくは、０．７＜（Ｄ２／Ｄ１）＜１．５を満足する。上述の条件のいずれか又は両方を満足する場合、第２延在部２０の変形容易性が促進される。
【００４６】
第１延在部１０の先端部１２の先端位置Ｐ１は、前後方向に直交する平面を第２延在部２０の反対端部２２から結合部３０に向けて前進させる時、その平面が第１延在部１０の先端部１２に最初に交差する位置であり得る。結合部３０の内壁面３３の位置Ｐ３３は、前後方向に直交する平面を結合部３０の前方位置から第２延在部２０の反対端部２２に向けて後進させた時、その平面が結合部３０の内壁面３３に最初に交差する位置であり得る。
【００４７】
幾つかの場合、第１延在部１０の先端部１２には第２延在部２０（端的には、その中間部２５）に向けて突出した突起７０が設けられる。括れ部５０の最小幅部分５３の位置Ｐ５３が、突起７０の先端位置（下端位置）Ｐ２と比較して第１及び第２延在部１０，２０の内面１７，２３を接続する結合部３０の内壁面３３寄りに位置付けられ得る。追加又は代替として、括れ部５０の最小幅部分５３の位置Ｐ５３と突起７０の先端位置Ｐ２の間の第５間隔をＤ５とし、括れ部５０の最小幅部分５３の位置Ｐ５３と第１及び第２延在部１０，２０の内面１７，２３を接続する結合部３０の内壁面３３の位置Ｐ３３の間の第６間隔をＤ６とする時、０．４＜（Ｄ６／Ｄ５）＜２．３を満足する。より好ましくは、０．７＜（Ｄ６／Ｄ５）＜１．５を満足する。上述の条件のいずれか又は両方を満足する場合、第２延在部２０の変形容易性が促進される。なお、突起７０の先端位置（下端位置）Ｐ２は、前後方向に直交する平面を第２延在部２０の反対端部２２から結合部３０に向けて前進させた時、その平面が突起７０の先端（下端）に最初に交差する位置であり得る。
【００４８】
図９を参照すると、第２延在部２０が存在する平面Ｌ１に対して第１延在部１０の先端部１２の先端位置Ｐ１と括れ部５０の最小幅部分５３の位置Ｐ５３を結ぶ軸線Ｌ２のなす角θ１は、２３°〜４５°の範囲内の任意の角度であるが、これに限られるべきではない。括れ部５０の最小幅部分５３の適切な位置付けにより第２延在部２０の変形容易性が促進される。
【００４９】
図９及び図１０の比較から分かるように挿入口４１の開口高さＨ４１を増加させるようにクリップ１を操作する時、第１延在部１０よりも第２延在部２０が大きく撓む。より端的には、第１延在部１０の先端部１２が第２延在部２０（特には、その中間部２５）から離れるようにクリップ１が操作される時、第１延在部１０の撓み量が、第２延在部２０の中間部２５の撓み量よりも小さい。例えば、ショルダーストラップ３に対してクリップ１が取り付けられた状態で片手の親指で第１延在部１０の先端部１２がショルダーハーネス４から離れるように押される。第２延在部２０は、結合部３０から延びる片持ち梁であるため、結合部３０を起点として撓み始める。第２延在部２０の中間部２５に括れ部５０が形成されているため、括れ部５０よりも結合部３０に近い部分（つまり、第１テーパー部５１）よりも括れ部５０よりも結合部３０から遠い部分（つまり、第２テーパー部５２）が大きく変位する。従って、括れ部５０の最小幅部分５３が第１延在部１０側に反り出る。クリップ１の挿入口４１の開口高さＨ４１が増加し、ショルダーストラップ３からクリップ１を外すことができる。なお、ショルダーストラップ３にクリップ１を取り付ける際、突起７０がショルダーストラップ３により押圧され、第１延在部１０がショルダーハーネス４から離れるように押され、上述の場合と同様にして第２延在部２０が撓む。
【００５０】
図１１は、クリップ１をショルダーストラップ３に取り付ける過程を示す概略図である。図示の便宜上、ショルダーハーネス４の図示が省略されている。まず、図１１（ａ）及び（ｂ）に示すように、ショルダーハーネス４とショルダーストラップ３の間の隙間にクリップ１を挿入する。クリップ１の挿入容易性を高める上述の１以上の特徴の採用が有利である。次に、図１１（ｃ）及び（ｄ）に示すように、ショルダーハーネス４とショルダーストラップ３の隙間を通過したクリップ１を反対方向に動かし、クリップ１の挿入口４１を介してクリップ１の保持空間４０にショルダーストラップ３を挿入する。この時、上述のように、ショルダーストラップ３により第１延在部１０の先端部１２がショルダーハーネス４から離れるように押され、これに応じて第２延在部２０が撓む。
【００５１】
図１２乃至図１９に示すように、上述した括れ部５０の代替として、第２延在部２０の中間部２５に開口６０を設けることもできる。上述したクリップ１の特徴は、第２延在部２０の中間部２５に開口６０を設ける形態にも当てはまり、重複説明は省略する。
【００５２】
図１５及び図１９に示すように、結合部３０の近傍における第２延在部２０（端的には、その中間部２５）の幅をＷ３とし、開口６０により隔てられた複数の部分の合計幅をＷ４とする時、Ｗ４／Ｗ３≦０．８を満足する。なお、図１５及び図１９に示す場合、合計幅Ｗ４＝Ｗ４ａ＋Ｗ４ｂである。これにより第２延在部２０の変形容易性が促進される。オプションとして、中間部２５が、結合部３０から挿入口４１に向けて一定厚で延びる部分を含み、及び／又は、第２延在部２０（中間部２５）の下面２４に１以上の凹部２６を設けられる。凹部２６は、開口６０の外周に形成され得る。
【００５３】
括れ部５０に関して述べたＤ１、Ｄ２、Ｄ５、Ｄ６と同様、第２延在部２０（端的には、その中間部２５）に形成された開口６０についても同様の関係が成立し得る。具体的には、開口６０の中心位置Ｐ６０と第１延在部１０の先端部１２の先端位置Ｐ１の間の第３間隔をＤ３とし、開口６０の中心位置Ｐ６０と第１及び第２延在部１０，２０の内面を接続する結合部３０の内壁面３３の位置Ｐ３３の間の第４間隔をＤ４とする時、０．４＜（Ｄ４／Ｄ３）＜２．３を満足する。より好ましくは、０．７＜（Ｄ４／Ｄ３）＜１．５を満足する。追加又は代替として、開口６０の中心位置Ｐ６０と突起７０の先端位置Ｐ２の間の第７間隔をＤ７とし、開口６０の中心位置Ｐ６０と第１及び第２延在部１０，２０の内面を接続する結合部３０の内壁面３３の位置Ｐ３３の間の第８間隔をＤ８とする時、０．４＜（Ｄ８／Ｄ７）＜２．３を満足する。より好ましくは、０．７＜（Ｄ８／Ｄ７）＜１．５を満足する。
【００５４】
開口６０の具体的な態様は様々である。幾つかの場合、開口６０は、括れ部５０と同様、挿入口４１を介した保持空間４０への挿入方向（前後方向）に平行な軸線ＡＸに関して対称に構成される。図１５の形態を含む幾つかの場合、クリップ１の挿入容易性と第２延在部２０の変形容易性の両立のため、結合部３０から離れる方向において第２延在部２０の中間部２５の左右幅と開口６０の左右幅が同調に増加する。端的には、第２延在部２０の中間部２５が結合部３０から離れるに応じて幅広になり、また、開口６０が結合部３０から離れるに応じて幅広になる。第２延在部２０の右エッジ２８と開口６０の右エッジ６１が平行であり、第２延在部２０の左エッジ２９と開口６０の左エッジ６２が平行である。なお、図１９に示すように、第２延在部２０が一定の左右幅で前後方向に延び、開口６０も同様に一定の左右幅で前後方向に延びることも想定される。
【００５５】
上述の教示を踏まえると、当業者をすれば、各実施形態に対して様々な変更を加えることができる。請求の範囲に盛り込まれた符号は、参考のためであり、請求の範囲を限定解釈する目的で参照されるべきものではない。
【符号の説明】
【００５６】
１            クリップ
１０            第１延在部
２０            第２延在部
２５            中間部
３０            結合部
４０            保持空間
４１            挿入口
５０            括れ部
６０            開口
【図１】
2020025728.tif 000003
【図２】
2020025728.tif 000004
【図３】
2020025728.tif 000005
【図４】
2020025728.tif 000006
【図５】
2020025728.tif 000007
【図６】
2020025728.tif 000008
【図７】
2020025728.tif 000009
【図８】
2020025728.tif 000010
【図９】
2020025728.tif 000011
【図１０】
2020025728.tif 000012
【図１１】
2020025728.tif 000013
【図１２】
2020025728.tif 000014
【図１３】
2020025728.tif 000015
【図１４】
2020025728.tif 000016
【図１５】
2020025728.tif 000017
【図１６】
2020025728.tif 000018
【図１７】
2020025728.tif 000019
【図１８】
2020025728.tif 000020
【図１９】
2020025728.tif 000021